【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
加害者の攻撃を抑止すると共に加害者の識別を助ける器具であって、少なくとも１つの証拠物質を有していることを特徴とする器具。
【請求項２】
容器を更に有していることを特徴とする請求項１記載の器具。
【請求項３】
容器は、開放又は部分開放容器であることを特徴とする請求項２記載の器具。
【請求項４】
容器は、閉鎖容器であることを特徴とする請求項２記載の器具。
【請求項５】
容器は、カプセル、バンド、リストバンド、包帯、ブレスレット、管、ロッド、磨きパッド、指サック、練り歯磨きの形をした容器、衣類片、健康状態警告装置、赤十字、棒形石鹸状容器、圧力容器、圧力作動式容器、圧力作動式容器としてのマルチチャンバカプセル、接着剤により作用が高められる容器、噛むことによって使える容器、穿刺することによって使える容器、宝石、イヤリング、腕時計、リング、ネックレス、ピン、タイ、ペン、ベルトのバックル、バッジ、腕バンド、麦わら帽子、足首リング、包み、生まれつきのあざ、袋、皮膚のしみ、皮膚のかさぶた、皮膚の発疹、人間の皮膚又は証拠物質を収容することができ、任意適当な材料で作られたアイテムを更に含むことを特徴とする請求項２記載の器具。
【請求項６】
容器は、マルチチャンバ容器であることを特徴とする請求項２記載の器具。
【請求項７】
容器は、プラスチック、スタイロフォーム、箔、紙、ゴム、結晶、石、ガラス、木、セラミック又は金属から成る材料で作られていることを特徴とする請求項２記載の器具。
【請求項８】
プラスチックは、ポリエチレンテレフタレート、ポリ塩化ビニル、低密度ポリエチレン、高密度ポリエチレン及びスタイロフォームを更に含むことを特徴とする請求項７記載の器具。
【請求項９】
プラスチックの表面は、模様付きであることを特徴とする請求項８記載の器具。
【請求項１０】
マルチチャンバ容器は、固体、半固体、流体、粉末、水又は気体から成る漏れがあったことを指示する材料で構成されていることを特徴とする請求項６記載の器具。
【請求項１１】
流体又は水は、不透明又は透明であることを特徴とする請求項１０記載の器具。
【請求項１２】
流体又は水は、粒子、釣り糸セグメント及び光ファイバラインセグメントを構成していることを特徴とする請求項１１記載の器具。
【請求項１３】
少なくとも１つの証拠物質は、液体、固体、気体、半固体、粒及び粉末材料を更に含むことを特徴とする請求項１記載の器具。
【請求項１４】
少なくとも１つの証拠物質は、互いに異種であることを特徴とする請求項１記載の器具。
【請求項１５】
少なくとも１つの証拠物質は、チモールフタレインとエタノールの混合物、ヨウ素、ペリレン、アントラセン、インク、皿洗い用石鹸により生じた気泡、パインタール、オレンジチョーク粉末、臭素ガス、レモンオイル入り水、コーヒーオイル、ココナッツオイル、パイナップル抽出液、アロエ、市販のゼリー、鉱物油、市販のハンドクリーナ、スコッチブライト、スチールウール、光ファイバセグメント、自動車用油、アルコール、基剤、油、グリース、自動車グリース、エポキシ、グルー、シリコンセメント、組織研磨材、磨きパッド、吸収材料、プラスチックメッシュ、金属メッシュ、ペパーミントオイル、スペアミントオイル、加圧下に保持された粒子、水、スプリットグラム、複素環式化合物ルミノ（lumino）と過酸化水素の混合物、不活性物質、レモンオイル入り水、釣り糸セグメント又はこれに類似した材料入りの水、光ファイバケーブルセグメント、金属、セラミック、プラスチック、ガラス又は木、皿洗い用石鹸、燐、シリコングルー、寸法形状が同一又は種々の寸法形状の組合せの光輝顔料粒子、ワイヤのセグメント、独特のパターンが作られた材料セグメント、ストリング、放射性物質、ポロニウム、スプリットグラム接着剤、シリコングルー、ビスフェノールとエピクロロヒドリンの重合により形成されるエポキシ樹脂、デオキシリボ核酸、ヒト免疫不全ウィルス、小ポックスウィルス、ウルシオール、燐光物質がドープされ、導体が取り付けられた機能性半導体デバイス、ヘンナ染料、ポイズンオーク、ポイズンアイビー、アルコール、基剤、乾燥状態の血液又は容器内に入れられた血液、臭素ガス、接触すると破裂するセシウム入り水、水銀、ペントバルビタールとナトリウム系ペントタールの混合物、エポキシ樹脂、漸変組成比のビスフェノールＡとエピクロロヒドリンの重合により形成されるエポキシ樹脂、暗光に当てられるとフルオレシング青色を生じるペリレン、暗光に当てられるとフルオレシング紫外色を生じるアントラシン、オレオレシンカプシウム、酸、市販の光源及び４グラムの炭酸ナトリウム、０．２グラムのルミノール、０．５グラムの炭酸アンモニウム、１リットルの水に入った０．４グラムの五水和銅、１リットルの水に入った５０ミリリットルの３％過酸化水素を含む混合物の、粒子、フォーム、粒、固体、液体、粉末、気体又は半固体を、個々に又はこれらの組合せ状態で更に含むことを特徴とする請求項１記載の器具。
【請求項１６】
粒子、フォーム、粒、粉末、固体、液体、半固体は、少なくとも１つの識別コードを更に含むことを特徴とする請求項１５記載の器具。
【請求項１７】
少なくとも１つの証拠物質は、少なくとも１つの識別マーカを含むことを特徴とする請求項１又は２記載の器具。
【請求項１８】
少なくとも１つの証拠物質は、識別マーカを含まないことを特徴とする請求項１記載の器具。
【請求項１９】
少なくとも１つの識別マーカは、リング、ワイヤ、プレート、ストリング、球、長円形物体、楕円形物体、糸、幾何学的形状、玉軸受、任意の材料に刻印されたパターン、鋼又はセラミック、漸変組成の材料で作られた物体、及び上述のマーカの組合せを含むことを特徴とする請求項１７記載の器具。
【請求項２０】
少なくとも１つの識別マーカには更に、形、記号、数字及び文字のうち少なくとも１つの種類のパターンが形成されていることを特徴とする請求項１７記載の器具。
【請求項２１】
少なくとも１つの証拠物質は、少なくとも１つの製造ロット番号により識別されることを特徴とする請求項１記載の器具。
【請求項２２】
少なくとも１つの証拠物質の寿命は、期限付きであることを特徴とする請求項１記載の器具。
【請求項２３】
少なくとも１つの証拠物質は、製造された各器具の永続的な履歴の保守を可能にする製造業者の器具登録手続きを含むことを特徴とする請求項１記載の器具。
【請求項２４】
容器は、第１のチャンバ及び第２のチャンバを更に有し、第１のチャンバと第２のチャンバとの間には空間が形成され、第１のチャンバは、少なくとも１つの証拠物質を収容し、前記空間は、水を収容し、第２のチャンバは、空であることを特徴とする請求項６記載の器具。
【請求項２５】
組織、皮膚、毛、骨又は体液のサンプルを採取して保持するツールを更に有していることを特徴とする請求項１又は２記載の器具。
【請求項２６】
器具は、少なくとも１つの証拠物質を含み、又は、証拠物質を含まないことを特徴とする請求項２５記載の器具。
【請求項２７】
ツールは、コードを更に有していることを特徴とする請求項２５記載の器具。
【請求項２８】
ツールは、第１の表面を構成する第１の端部及び第２の表面を構成する第２の端部を備えた管本体を有し、管本体は、内面、外面、第１の表面を構成する第１の端部及び第２の表面を構成する第２の端部を備えたロッド本体、形状が丸く、キャビティを構成し、外面を備えた物体、弧状空間を備えたツール、保持器具、内方に折り曲げられた端部を備えていて、内面及び外面を有する星の形をした物体、及び研磨内面及び外面を備えた折り重ね器具を有していることを特徴とする請求項２５記載の器具。
【請求項２９】
ツールは、組織、皮膚、体液又は骨サンプルを採取して保持でき、ツールは、任意の研磨材料を更に有し、研磨材料としては、サンドペーパー、スコッチブライト、グリット、バフ磨き材料、磨きパッド、スチールウール、吸収材料、メッシュ、ワイヤ、セラミック及び金属粒子又は表面を更に有し、ツールの表面は、研磨性であり又は模様が付けられていることを特徴とする請求項２６記載の器具。
【請求項３０】
ツールは、少なくとも１つのブレードを有していることを特徴とする請求項２５記載の器具。
【請求項３１】
少なくとも１つのブレードは、互いに約１８０°の間隔を置いて位置した２つのブレードであることを特徴とする請求項３０記載の器具。
【請求項３２】
少なくとも１つのブレードは、組織、皮膚、毛、体液及び骨貯蔵部分を更に有していることを特徴とする請求項３０記載の器具。
【請求項３３】
組織、皮膚、毛、体液及び骨貯蔵部分は、鉛直線遠ざかると共にロッド及びロッド本体の軸線に向かって内方に傾斜していることを特徴とする請求項３２記載の器具。
【請求項３４】
組織、皮膚、毛、体液及び骨貯蔵部分は、貯蔵部分の表面内に繋留されていて、前記表面から遠ざかると共に前記表面に対し９０°以下の角度をなし、且つ貯蔵部分からの組織、皮膚、毛及び骨サンプルの流出方向と逆の方向に向いている突起を有していることを特徴とする請求項３２記載の器具。
【請求項３５】
管及びロッドツールは、第１の端部のところに組織、皮膚、毛、体液及び骨採取手段を有すると共に第２の端部のところに組織、皮膚、毛、体液及び骨貯蔵手段を更に有していることを特徴とする請求項２８記載の器具。
【請求項３６】
ツールは、その内面又はキャビティ内に繋留されていて、前記表面から遠ざかると共に前記表面に対し９０°以下の角度をなし、ツールからの証拠物質の流出方向と逆の方向に向いている突起を更に有していることを特徴とする請求項２８記載の器具。
【請求項３７】
ツールは、証拠物質ブリードチャネルを更に有していることを特徴とする請求項２５記載の器具。
【請求項３８】
ツールは、第１の端部のところに設けられた証拠物質排出開口部を更に有し、前記開口部は、皮膚、骨、組織、体液及び毛サンプルの全てが排出開口部を通って証拠物質と共に出るのを阻止するよう寸法決めされていることを特徴とする請求項３７記載の器具。
【請求項３９】
保持器具は、複数の管状容器又はロッド状容器を収容できることを特徴とする請求項２８記載の器具。
【請求項４０】
折り重ね器具の研磨性内面は、少なくとも１つの突起を更に有していることを特徴とする請求項２８記載の器具。
【請求項４１】
折り重ね器具の外面は、少なくとも１つの突起を更に有していることを特徴とする請求項２８記載の器具。
【請求項４２】
星形物品は、組織、骨、毛又は皮膚のサンプルを採取できる、尖った内方に折り曲げられた端部を有していることを特徴とする請求項２８記載の器具。
【請求項４３】
組織、皮膚、毛、骨又は体液の性質を保存できる保存料を更に有していることを特徴とする請求項２５記載の器具。
【請求項４４】
保存料は、塩を更に含むことを特徴とする請求項４３記載の器具。
【請求項４５】
形状の丸い物品は、第１の端部及び第２の端部を備えた組織、皮膚、毛、骨又は体液保持部分を更に有し、第１の端部は、ツール表面に設けられた第１の開口部を構成し、保持部分は、第１の開口部から内方に延び、保持部分は、ツール内部に設けられたキャビティを構成し、第２の端部を備え、前記物品は、保持部分の第２の端部の領域からツール表面に設けられた別の開口部まで延びる空気ブリード部分と、第１の開口部の周囲の領域に設けられた第１の端部を有し、第１の開口部から外方に延びる組織、皮膚、毛、骨又は体液採取部分と、採取部分の第２の端部から延びると共に全体としてキャビティの方向に差し向けられた内部到達部分とを更に有していることを特徴とする請求項２８記載の器具。
【請求項４６】
形状が丸い物品は、球形であることを特徴とする請求項４５記載の器具。
【請求項４７】
加害者の攻撃を抑止すると共に加害者の識別を助ける器具であって、組織、皮膚、毛、骨又は体液のサンプルを採取するツールを単独で、又は、音声源又は光源と組み合わせて有し、ツール、音声源及び光源は、ランダムに又はパターン化された配列状態で表面に着脱自在に連結されていることを特徴とする器具。
【請求項４８】
前記配列状態の位置のうち少なくとも１つは、占有されていないことを特徴とする請求項４７記載の器具。
【請求項４９】
組織、皮膚、毛、骨又は体液のサンプルを採取して保持するツールは、目に見えないことを特徴とする請求項２５記載の器具。
【請求項５０】
光発生化学物質を更に含み、光発生化学物質としては、燐、同一比率の複素環式化合物ルミノ（lumino）と過酸化水素の混合物、又は５０ミリリットルの３％過酸化水素と１リットルの水の混合物と組み合わされた場合の４ｇの炭酸ナトリウム、０．２ｇのルミノール、０．５ｇの炭酸アンモニウム、０．４ｇの五水和銅（copper pentahydrate）及び１リットルの水を含む混合物が挙げられることを特徴とする請求項６記載の器具。
【請求項５１】
底面及び頂面を備えた容器を更に有し、頂面と底面は互いに連結され、各表面の端部のところには第１の壁及び第２の壁が設けられ、前記容器は、その頂部に設けられた圧力加え面を更に有し、前記容器は、外方に且つ圧力加え面に圧力を加えると切断ツールの方向に拡張し、切断ツールは、容器を穿刺し、証拠物質を放出させることを特徴とする請求項２記載の器具。
【請求項５２】
延長部が取り付けられた取外し自在なカバーを更に有し、組織、皮膚、毛、骨又は体液サンプルを採取するツールを単独で又は音声源又は光源と組み合わせて更に有し、器具は、人の体に着脱自在に連結され、器具は、延長部に力を加えることにより作動され、その内容物の何割か又は全てを放出することを特徴とする請求項２記載の器具。
【請求項５３】
開口端部を備えると共に証拠物質を備え又は証拠物質を備えていない容器と、周囲が容器の開口端部に着脱自在に連結された第１の表面及び第２の表面を備えたカバーと、カバーの第１の表面に連結されていて、容器の内側に嵌まる衝撃吸収材料と、衝撃吸収材料に連結されていて、容器の内部に嵌まる光発生装置と、第１の端部がカバーの第１の表面に連結されていて、蓋から容器内へ遠ざかって延びる切断ツールと、カバーの第２の表面と結合した取付け器具とを更に有することを特徴とする請求項２記載の器具。
【請求項５４】
開口端部を備えていて、証拠物質を有し又は証拠物質を有しておらず、内側に折り曲げられた端部を備える管、ロッド、星状の器具又は研磨性内面及び外面を備えた折り重ね器具を備えた容器と、周囲が容器の開口端部に着脱自在に連結された第１の表面及び第２の表面を備えたカバーと、容器の内部に配置された電源及び光源と、カバーの第１の表面に連結されていて、カバーから容器内へ遠ざかって延び、電源と光源との間に嵌ってこれらを分離する絶縁体バーとを有し、カバーを取り外すと、絶縁体バーが電源と光源との間から取り外され、かくして、光源が通電され、第１の端部がカバーの第１の表面に連結されていて、蓋から容器内へ遠ざかって延びる切断ツールと、蓋の第２の表面と結合した取付け器具とを更に有することを特徴とする請求項２記載の器具。
【請求項５５】
同一の証拠物質が、被害者ではない人によって保持されることを特徴とする請求項１記載の器具。
【請求項５６】
証拠物質及び組織、皮膚、骨、体液及び毛のサンプルを採取して貯蔵するツールを更に有し、ツールは、第１の表面を構成する第１の端部及び第２の表面を構成する第２の端部を備えた管状本体と、第１の表面を構成する第１の端部及び第２の表面を構成する第２の端部を備えたロッド状本体と、皮膚、骨、毛、組織及び体液サンプルを採取して保持する少なくとも１つの刃身と、保持器具と、内側に折り曲げられた端部を備える星として形作られた物品と、内面、外面、音声源、光発生装置及び切断ツールを有する折り重ね器具とを有していることを特徴とする請求項５１記載の器具。
【請求項５７】
高周波装置を更に有していることを特徴とする請求項１、２又は２５記載の器具。
【請求項５８】
高周波識別装置を更に有していることを特徴とする請求項５７記載の器具。
【請求項５９】
高周波識別装置は、電気的に活性であることを特徴とする請求項５８記載の器具。
【請求項６０】
高周波識別装置は、電気的に不活性であることを特徴とする請求項５８記載の器具。
【請求項６１】
弧状空間を備えたツールは、この中に設けられた弧状空間を更に構成し、空間は、ツール表面のところで始まり、ツール表面上に薄刃を形成し、円弧は、全体として内方に延びると共にその元々の箇所から見て反対側の方向に移動し、ツール中央に向かう傾向があり、円弧は、その中点に達し、次に、全体としてツール中央から遠ざかってツール表面に向かう方向に湾曲し、円弧の内方部分と協働して円の形を形成し、円弧は、ツール表面のところでその元の点から或る距離を置いて終端し、ツール表面のところに別の尖った箇所を形成することを特徴とする請求項２８記載の器具。
【請求項６２】
ツールは、ロッドのように形作られていることを特徴とする請求項６１記載の器具。
【請求項６３】
ツールは、管の形状をしていることを特徴とする請求項６１記載の器具。
【請求項６４】
器具内に設けられた空間を更に有し、空間は、電気スイッチ、電気スイッチを開離状態に保つインサート、電源、音声源、光源及び音声源及び光源を作動させるエレクトロニクスを収容していることを特徴とする請求項６１記載の器具。
【請求項６５】
器具は、表面に着脱自在に連結され、前記表面を備えた接点は、電気スイッチを開離状態に保つ突起を有し、器具を突起から離脱させると、電気スイッチ、音声源及び光源が作動することを特徴とする請求項６４記載の器具。
【請求項６６】
加害者の攻撃を抑止すると共に加害者の識別を助ける方法であって、証拠物質を収容できる容器を製造する段階と、証拠物質を容器内に配置する段階と、保護されるべき人に証拠物質を収容した容器を装備させる段階と、圧力を容器に加え、容器を壊し、容器を引き裂き、容器を穿刺し、又は容器を開放して証拠物質を放出させる段階と、証拠物質を保護されるべき人及び加害者に塗布する段階とを有していることを特徴とする方法。
【請求項６７】
加害者の攻撃を抑止すると共に加害者の識別を助ける方法であって、証拠物質及び組織、皮膚、骨、体液又は毛のサンプルを採取し、サンプルを貯蔵できる器具を収容できる容器を製造する段階と、組織、皮膚、骨又は毛のサンプルを採取して貯蔵できる器具を製造する段階と、証拠物質及び組織、皮膚、骨、体液又は毛のサンプルを採取できる器具と容器を組み合わせる段階と、保護されるべき人に証拠物質及び組織、皮膚、骨、体液又は毛のサンプルを採取できる器具を収容した容器を装備させる段階と、圧力を容器に加え、容器を壊し、容器を引き裂き、容器を穿刺し、又は容器を開放して証拠物質を放出させる段階と、証拠物質を保護されるべき人及び加害者に塗り広げる段階と、皮膚、組織、骨、体液又は毛のサンプルを加害者及び保護されるべき人から採取する段階と、サンプルを組織、皮膚、骨、体液又は毛のサンプルを落として貯蔵できる器具内に貯蔵する段階とを有していることを特徴とする方法。
【請求項６８】
加害者の攻撃を抑止すると共に加害者の識別を助ける方法であって、光発生物質を収容できる漸変強度の壁を備えたマルチチャンバ容器を製造する段階と、光発生物質を容器の周囲チャンバ内に配置する段階と、容器の中央チャンバを空にしておく段階と、保護されるべき人に光発生物質を収容した容器を装備させる段階と、圧力を容器に加えて光発生物質が中央チャンバに到達してこの中で混じり合うようにする段階と、光を発生させる段階とを有していることを特徴とする方法。
【請求項６９】
加害者の攻撃を抑止すると共に加害者の識別を助ける方法であって、証拠物質及び組織、皮膚、骨、体液又は毛のサンプルを採取して貯蔵できる器具、電池又は太陽光を利用した電源と、音声源と、音声源を制御するエレクトロニクスと、エレクトロニクスと音声源との間に配置された絶縁体を収容できるエンクロージャを製造する段階を有し、音声源は、絶縁体を取り外すことにより作動され、前記方法は、保護されるべき人に、証拠物質及び組織、皮膚、骨、体液又は毛のサンプルを採取して貯蔵できる器具、電池又は太陽光を利用した電源と、音声源と、音声源を制御するエレクトロニクスと、エレクトロニクスと音声源との間に配置された絶縁体を収容するエンクロージャを装備させる段階を更に有し、音声源は、絶縁体を取り外すことにより作動され、前記方法は、エンクロージャの蓋を外し、それにより音声源を作動させる段階と、証拠物質を保護されるべき人及び加害者上で擦る段階とを更に有していることを特徴とする方法。
【請求項７０】
加害者の攻撃を抑止すると共に加害者の識別を助ける方法であって、証拠物質を収容できる容器を製造する段階と、証拠物質を容器内に配置する段階と、接着剤の層を容器に被着させる段階とを有し、接着剤の取付け強度は、容器の破壊強度よりも大きく、前記方法は、証拠物質を収容した容器を保護されるべき人に取り付ける段階と、容器を保護されるべき人から取り外し、それにより容器を壊して証拠物質を放出させる段階と、証拠物質を保護されるべき人及び加害者に塗り広げる段階とを有していることを特徴とする方法。
【請求項７１】
加害者の攻撃を抑止すると共に加害者の識別を助ける方法であって、証拠物質を収容できる容器を製造する段階と、証拠物質を容器内に配置する段階と、取付け器具を容器に取り付ける段階とを有し、取付け器具の強度は、容器の破壊強度よりも大きく、前記方法は、容器を保護されるべき人に取り付ける段階と、容器を保護されるべき人から取り外し、それにより容器を壊して証拠物質を放出させる段階と、証拠物質を保護されるべき人及び加害者に塗り広げる段階とを有していることを特徴とする方法。
【請求項７２】
加害者の攻撃を抑止すると共に加害者の識別を助ける方法であって、証拠物質を収容できる容器を製造する段階と、証拠物質を容器内に配置する段階と、取付け器具を容器に取り付ける段階とを有し、取付け器具の強度は、容器の破壊強度よりも大きく、前記方法は、少なくとも１つの容器を保護されるべき人に取り付ける段階と、少なくとも１つの容器をストランドコネクタで互いに連結する段階と、力をストランドコネクタに、それにより取付け器具に加える段階と、少なくとも１つの容器を壊し、証拠物質を放出させる段階と、証拠物質を保護されるべき人及び加害者に塗り広げる段階とを更に有していることを特徴とする方法。